(57)【特許請求の範囲】
【請求項１】
画像表示装置と、該画像表示装置の遠隔制御を行うリモートコントローラとを有する遠隔制御システムにおいて、
前記リモートコントローラは、透明であり、かつ第１表示領域を有するタッチパネルと、
前記タッチパネルにタッチされた点の位置を前記画像表示装置に送信する送信部と、を有し、
前記画像表示装置は、操作用画面を表示する第２表示領域と、
前記位置に対応する機能を実行する実行部と、を有し、
前記第１表示領域の位置と第２表示領域の位置は対応し、
前記リモートコントローラは、前記操作用画面を拡大または縮小させる第３操作部を有する遠隔制御システム。
【請求項２】
画像表示装置と、該画像表示装置の遠隔制御を行うリモートコントローラとを有する遠隔制御システムにおいて、
前記リモートコントローラは、透明であり、かつ第１表示領域を有するタッチパネルと、
前記タッチパネルにタッチされた点の位置を前記画像表示装置に送信する送信部と、を有し、
前記画像表示装置は、操作用画面を表示する第２表示領域と、
前記位置に対応する機能を実行する実行部と、を有し、
前記第１表示領域の位置と第２表示領域の位置は対応し、
前記操作用画面には第１罫線が表示され、
前記タッチパネルには、前記第１罫線と対応する第２罫線が表示されることを特徴とする遠隔制御システム。
【請求項３】
画像表示装置と、該画像表示装置の遠隔制御を行うリモートコントローラとを有する遠隔制御システムにおいて、
前記リモートコントローラは、透明であり、かつ第１表示領域を有するタッチパネルと、
前記タッチパネルにタッチされた点の位置を前記画像表示装置に送信する送信部と、を有し、
前記画像表示装置は、操作用画面を表示する第２表示領域と、
前記位置に対応する機能を実行する実行部と、を有し、
前記第１表示領域の位置と第２表示領域の位置は対応し、
前記リモートコントローラは、前記画像表示装置に表示された複数の操作用画面の中から１つの操作用画面を選択させるための第４操作部を有し、
前記第４操作部にされる操作に基づいて、前記複数の操作用画面の中から１つの操作用画面が選択されることを特徴とする遠隔制御システム。
【請求項４】
前記リモートコントローラは、第１操作部を有し、
前記第１操作部に操作がされている間、または、前記第１操作部に操作がされてから所定時間の間、前記送信部による前記位置の送信は可能であることを特徴とする請求項１〜３何れかに記載の遠隔制御システム。
【請求項５】
前記リモートコントローラは、前記画像表示装置に前記操作用画面を表示させる操作が行われる第２操作部を有する請求項１〜４何れか記載の遠隔制御システム。
【請求項６】
前記タッチパネルは、透明抵抗膜方式であることを特徴とする請求項１〜５何れかに記載の遠隔制御システム。
【請求項７】
画像表示装置と、該画像表示装置の遠隔制御を行うリモートコントローラとを有する遠隔制御システムの遠隔制御方法において、
前記リモートコントローラは、透明であり、かつ第１表示領域を有するタッチパネルを有し、
前記画像表示装置は、操作用画面を表示する第２表示領域を有し、
前記第１表示領域の位置と第２表示領域の位置は対応しており、
前記リモートコントローラは、前記画像表示装置に表示された複数の操作用画面の中から１つの操作用画面を選択させるための第４操作部を有し、
前記第４操作部にされる操作に基づいて、前記複数の操作用画面の中から１つの操作用画面を選択するステップと、
前記リモートコントローラが、前記タッチパネルにタッチされた点の位置を前記画像表示装置に送信するステップと、
前記画像表示装置は、前記選択された操作用画面の前記位置に対応する機能を実行するステップを有する遠隔制御方法。
【発明の詳細な説明】
【技術分野】
【０００１】
本発明は、テレビジョンなどの画像表示装置と、該画像表示装置の遠隔制御を行うリモートコントローラとを有する遠隔制御システム、遠隔制御方法に関する。
【背景技術】
【０００２】
画像表示装置（例えばテレビジョン）には、遠隔操作で該画像表示装置を制御できるようにリモートコントローラ（以下、「リモコン」という。）が備わっている。従来のリモコンにはその表面に画像表示装置を制御するために必要な数だけのボタン（１つの操作に対して１つのボタン）が配置されており、使用者は、目的に応じて、それらのボタンを押下し、画像表示装置の操作を行う。
【０００３】
近年、画像表示装置もデジタル受信や録画機能などの多機能化が進むに伴い、リモコンに対しても、多くの制御機能を持たせる、すなわち、多くのボタンを配置する必要性が増えている。しかし、リモコンの限られた領域の中で、ボタン数を多くするということは、ボタンの大きさを小さくしたり、ボタン同士の間隔を狭めたりすることとなり、操作性が低下する。
【０００４】
また、１つのボタンに対して、幾つかの制御機能をもたせ、場面に応じて、機能を変える役割をさせることで、ボタンの数を少なくする方法もある。しかし、この方法であっても、操作性は低下する。
【０００５】
上記の問題を解決すべく、例えば、特許文献１では、リモコンにＬＣＤ（liquid crystal display：液晶ディスプレイ）およびタッチパネルを供える手法が提案されている。この技術は、使用者が、タッチパネルに表示されるアイコンや選択肢をタッチすることで、画像表示装置を遠隔操作するものである。そして、場面に応じて、表示されるアイコンや選択肢が切り替わることで、限られた領域の中に多くの制御機能を割り当てることができる上に使用者も操作しやすいという効果がある。
【先行技術文献】
【特許文献】
【０００６】
【特許文献１】特開平９−３０５３０５号公報
【発明の概要】
【発明が解決しようとする課題】
【０００７】
しかし、リモコンに備えられたＬＣＤに多くの情報を表示させると、ＬＣＤに求められる表示性能も必然的に高くなる。さらに、その時々の情報を表示させる場合には、画像表示装置から情報を受信する機能（つまり、双方向機能）など、リモコンに追加する機能が大きくなる。従って、コストが高くなる。また、消費電力も多くなるため、電池で駆動するリモコンにとってはＬＣＤを採用することは適さない。
【０００８】
そこで、本発明では上記のような問題を鑑みて、リモコンのコストおよび消費電力を削減し、多くの制御機能を割り当て、操作性を向上させる遠隔制御システム、遠隔制御方法を提供する。
【課題を解決するための手段】
【０００９】
上記目的を達成するため、画像表示装置と、該画像表示装置の遠隔制御を行うリモートコントローラとを有する遠隔制御システムにおいて、前記リモートコントローラは、透明であり、かつ第１表示領域を有するタッチパネルと、前記タッチパネルにタッチされた点のｘ座標およびｙ座標を示す座標情報を前記画像表示装置に送信する送信部と、を有し、前記画像表示装置は、操作用画面を表示する第２表示領域と、前記座標情報に対応する機能を実行する実行部と、を有し、前記第１表示領域のｘ座標およびｙ座標と第２表示領域のｘ座標およびｙ座標は対応している遠隔制御システムを提供する。
【発明の効果】
【００１０】
本願の遠隔制御システム、遠隔制御方法であれば、リモコンのコストおよび消費電力を削減し、多くの制御機能を割り当て、操作性を向上させることができる。
【図面の簡単な説明】
【００１１】
【図１】本実施例の画像表示装置の斜視図である。
【図２】本実施例のリモコンの斜視図である。
【図３】本実施例の遠隔制御システムの斜視図である。
【図４】本実施例の画像表示装置、リモコンの真正面から見た場合の簡略図である。
【図５】図５（Ａ）は透明抵抗膜方式を採用したタッチパネルの断面図であり、図５（Ｂ）はタッチパネルをタッチした場合の断面図である。
【図６】リモコン１００および画像表示装置の機能構成例を示したブロック図である。
【図７】リモコン１００および画像表示装置２００の主な処理を示したフローチャート図である。
【図８】本実施例の対応情報の一例を示した図である。
【図９】他の実施例のリモコンの斜視図を示した図である。
【図１０】更に、他の実施例のリモコンの斜視図を示した図である。
【図１１】他の実施例の画像表示装置、リモコンを真正面から見た場合の簡略図である。
【図１２】他の実施例の複数の操作用画面が表示されている画像表示装置を示した図である。
【図１３】他の実施例のリモコンの斜視図を示した図である。
【発明を実施するための形態】
【００１２】
以下、図面を参照して、本発明を実施するための形態の説明を行う。なお、同じ機能を持つ構成部や同じ処理を行う過程には同じ番号を付し、重複説明を省略する。
【実施例１】
【００１３】
本実施例の遠隔制御システム１０００は、リモートコントローラ（以下、「リモコン」という。）１００、画像表示装置２００とを有する。画像表示装置２００は、リモコン１００により遠隔制御される。画像表示装置２００は例えば、テレビジョンであり、以下の説明では、画像表示装置をテレビジョンであるとして説明する。
【００１４】
図１は、画像表示装置２００の簡略化した斜視図である。画像表示装置２００は表示部２５８を有する。表示部２５８には、画像（例えばテレビ映像）が表示される。表示部２５８内の一部の領域である第２表示領域２０２にリモコン１００用の操作用画面３２０が表示される。操作用画面３２０とは、操作キー３１０が集合されたものである。図１の例では、操作用画面３２０は、１２個の操作キーからなるものとする。それぞれの各操作キーには、機能が対応付けられている。機能とは、画像表示装置２００のチャネルを変える機能や、音量を調整する機能などを示す。また、画像表示装置２００が、テレビジョンとビデオが統合されたものであれば、機能とは、早送り機能や、一時停止機能などである。
【００１５】
図２は本実施例１のリモコン１００の斜視図である。この例では、リモコン１００は、タッチパネル１０２を有する。タッチパネル１０２は、使用者がリモコン１００の背面側を視認できる程度に透明である。
【００１６】
図３は実施例１の遠隔制御システム１０００を示す図、つまり、使用者Ａが、リモコン１００を用いて、画像表示装置２００を遠隔制御することを示す斜視図である。図３に示すように、使用者Ａは、透明であるタッチパネル１０２を第２表示領域２０２に表示されている操作用画面３２０に向ける（正対させる）。そうすると、タッチパネル１０２は透明であることから、タッチパネル１０２上に操作用画面３２０の相似形が表示される。操作用画面３２０が表示される、タッチパネル１０２中の領域を第１表示領域１０４とし、第１表示領域１０４に表示される操作用画面を操作用画面３２０’とする。使用者Ａは、操作用画面３２０をタッチパネル１０２に透過させて視認できる。換言すれば、タッチパネル１０２が透明窓として機能し、使用者Ａは、このタッチパネル１０２（透明窓）に操作用画面３２０を合わせこんで視認することになる。また、透明とは、使用者Ａが、タッチパネル１０２を透過させて操作用画面３２０を視認できる程度に透明または半透明であればよい。
【００１７】
そして、使用者Ａは、第１表示領域１０４に表示された操作用画面３２０’を入力手段でタッチして、該タッチされた操作キーの機能を画像表示装置２００に実行させる。ここで、入力手段とは使用者Ａの指Ａ１やスタイラスペン等である。また、「タッチ」とは、指やスタイラスペンなどの入力手段で、タッチパネル１０２を押下する（タッチパネル１０２と接触させる）行為をいう。以下、処理の詳細を説明する。
【００１８】
図４は、リモコン１００および画像表示装置２００を正面から見た場合の概略図である。ここで、タッチパネル１０２の第１表示領域１０４のｘ座標およびｙ座標は、表示部２５８の第２表示領域２０２のｘ座標およびｙ座標と対応している。ｘ座標およびｙ座標が対応しているということは、第１表示領域１０４および第２表示領域２０２の原点０からのｘ座標の値、ｙ座標の値が同一であるということである。また、図４記載の操作用画面３２０では、例えば、最も左端の列であり、最も上方に配置された操作キーに対応する機能は、「音量を大きくする」である。
【００１９】
タッチパネル１０２には、透明抵抗膜方式、静電容量方式、電磁誘導方式など様々あるが、透明抵抗膜方式を用いることが好ましい。何故なら、透明抵抗膜方式であると、製造コストも安く、使用者Ａの指Ａ１やスタイラスペンの両方でタッチ（座標入力）が可能だからである。なお、タッチパネル１０２として抵抗膜方式以外のタッチパネルを用いてもよい。また、リモコン１００にスタイラスペンを付属させ、スタイラスペンでタッチパネル１０２をタッチしても良い。以下、簡単に透明抵抗膜方式のタッチパネルについて説明する。
【００２０】
図５（Ａ）は、透明抵抗膜方式のタッチパネル１０２の断面図を示す図である。また、図５（Ｂ）は、タッチパネル１０２が入力手段によりタッチした場合の断面図である。図５（Ａ）に示すように、タッチパネル１０２は、第１電極基板１８と、第２電極基板２０と、ドットスペーサ２２などで構成される。第１電極基板１８と第２電極基板２０とは互いに対向しており、第１電極基板１８は、第２電極基板２０の上方に位置する。第１電極基板１８と第２電極基板２０とは、図示しないスペーサなどで一定距離が保たれている。第１電極基板１８は、例えばフィルム（ＰＥＴ：ポリエチレンテレフタレート）で形成され、第２電極基板２０は、例えばガラスで形成されている。
【００２１】
第１電極基板１８と第２電極基板２０の対向する面にはそれぞれ、第１抵抗膜１１と第２抵抗膜１２が形成される。第１抵抗膜１１と第２抵抗膜１２とは例えば、ＩＴＯ（インジウム錫酸化物）である。また、ドットスペーサ２２は、環境などの外的要因による第１電極基板１８の撓みで誤接触しないように設けられる。
【００２２】
そして、図５（Ｂ）に示すように、第１電極基板１８がタッチされると、第１電極基板１８が撓み、第１抵抗膜１１と第２抵抗膜１２とが接触する。
【００２３】
図６は、第１抵抗膜１１と第２抵抗膜１２の斜視図と、リモコン１００および画像表示装置２００のブロック図である。図７は、リモコン１００および画像表示装置２００の主な処理を示したフローチャート図である。図６ではタッチパネル１０２中の第１抵抗膜１１と第２抵抗膜１２のみを示している。図６の例では、リモコン１００は、タッチパネル１０２のほかに、電圧印加部１５２と、検出部１５４と、送信部１５６と、制御部１６０と、を有する。また、画像表示装置２００は、受信部２５２と、機能割り当て部２５３と、実行部２５４と、記憶部２５６と、図２で示した表示部２５８と、を有する。
【００２４】
この例では、第１抵抗膜１１と第２抵抗膜は共に矩形状である。第１抵抗膜１１、第２抵抗膜１２はそれぞれ、入力領域１３を有する。入力領域１３は、使用者Ａがタッチすることで座標が入力される領域である。第１電極基板１８の両長辺側の周縁には、第１電極１５が設けられる。また、第２電極基板２０の両短辺側の周縁には、第２電極１６が設けられる。つまり、第１電極１５と、第２電極１６とは互いに直交する方向に配置される。
【００２５】
電圧印加部１５２は、第１電極１５と第２電極１６とに電圧を交互に印加する。図５（Ｂ）に示すように、使用者が指などの入力手段で、第１電極基板１８をタッチすると（ステップＳ２のＹｅｓ）、第１電極基板１８が撓むことで、第１抵抗膜１１と第２抵抗膜１２とが接触する。そうすると、第１電極１５に電圧が印加されている場合に、その電圧は、接触点（押圧された点）で分圧されることで、変換部１０１は接触点のｙ座標を検出できる。また、第２電極１６に電圧が印加されている場合に、その電圧は、接触点で分圧されることで、検出部１５４は接触点のｘ座標を検出できる。また、以下の説明では、ｘ座標およびｙ座標についての情報を座標情報という。また、ステップＳ２においてＮｏの場合には、リモコン１００はタッチパネル１０２にタッチされるまで待機する。
【００２６】
検出部１５４は、第１導電膜２２および第２導電膜１２が接触した点（つまり使用者Ａがタッチした点）の座標情報を検出する（ステップＳ４）。そして、送信部１５６は、検出部１５４が検出した座標情報を画像表示装置２００に送信する（ステップＳ６）。なお、送信部１５６の送信手法については、従来使用されている赤外線などを用いればよい。
【００２７】
画像表示装置２００の受信部２５２が送信部１５６からの座標情報を受信する（ステップＳ８）。また記憶部２５６には、第２表示領域２０２に表示されている操作キー３１０について、座標情報と操作キーの機能を対応させた対応情報（対応表）が記憶されている。図８に記憶部２５６に記憶されている対応情報の一例を示す。
【００２８】
図８の例では、例えば、入力された座標情報（ｘ１〜ｘ２、ｙ１〜ｙ２）と機能「音量を大きくする」が対応している。機能割り当て部２５３は、対応情報を参照して、該対応情報の、受信した座標情報と対応した機能を割り当てる（ステップＳ１０）。そして、機能割り当て部２５３は、この割り当てた機能についての情報（以下、機能情報という。）を生成する。例えば、受信した座標情報が（ｘα、ｙα）である場合に、座標情報（ｘα、ｙα）が対応情報中の座標情報のどの範囲に属するかを判断する。例えば、ｘ１＜ｘα＜ｘ２、ｙ３＜ｙα＜ｙ４である場合には、座標情報（ｘα、ｙα）は「音量を小さくする」機能に対応する。そして、機能割り当て部２５３は、「音量を小さくする」機能についての機能情報を生成する。該生成された機能情報は実行部２５４に送信される。
【００２９】
実行部２５４は、該送信された機能情報についての機能を実行する（ステップＳ１２）。例えば、実行部２５４は、「音量を小さくする」機能についての機能情報が送信されれば、「音量を小さくする」という機能を実行する。
【００３０】
また、例えば、操作キー３１０の数が少ない場合などには、使用者Ａは、タッチパネル１０２に操作用画面３２０を合わせこまなくてもよい。合わせこまなくてもよい理由を説明すると、使用者Ａは、画像表示装置２００に表示されている操作キー３１０を直接（タッチパネル１０２を透過せずに）視認し、使用者Ａが所望する機能の操作キー３１０を判断する。そして、タッチパネル１０２中の、該判断した操作キー３１０の対応位置を使用者Ａが目分量で判断して、該判断された対応位置をタッチすることで、画像表示装置２００に使用者Ａが所望した機能を実行させることができるかである。
【００３１】
しかし、操作キー３１０の数が多い場合には、タッチパネル１０２に操作用画面３２０を合わせこまないと、使用者Ａの所望する操作が正確に実行されない可能性がある。従って、使用者Ａが正確な操作を行うためには、図３に示すように、使用者Ａが透明であるタッチパネル１０２に操作用画面３２０を合わせこんで操作することが好ましい。
【００３２】
このように、本実施例１のリモートコントローラを含む画像表示装置であれば、使用者Ａは、タッチパネル１０２を透過して操作用画面３２０を視認できる。そして視認した操作用画面３２０’の操作キーをタッチすることで、タッチした操作キーの機能を画像表示装置２００に実行させることができる。また、操作キー３１０の数が少ない場合などには、使用者Ａは、タッチパネル１０２を透過して操作用画面３２０を視認せずとも、画像表示装置２００に所望する機能を実行させることができる。
【００３３】
リモコン１００から画像表示装置２００に送信する情報は、タッチパネル１０２にタッチされた点の座標情報のみである。また、画像表示装置２００はリモコン１００に対して、何らの情報を送信する必要はない。従って特許文献１記載の技術のような、画像表示装置２００とリモコン１００との間で、双方向通信を行う必要はない。
【００３４】
また、リモコン１００には、ＬＣＤを備える必要もなく、透明であるタッチパネル１０２のみを有するである。従って、リモコンのコストおよび消費電力を削減できる。
【００３５】
また、表示部２５８の第２表示領域２０２に表示させる操作用画面３２０の操作キーの数を増加させることで、容易に多くの機能をリモコン１００に割り当てることができ、操作性を向上させることができる。
【実施例２】
【００３６】
図９に実施例２のリモコン４００の斜視図を示す。リモコン４００は、図１記載のリモコン１００と比較すると、透明タッチパネル１０２の下位置に第１操作部４０２を有する。この例では、第１操作部４０２とは例えば、押圧スイッチである。
【００３７】
使用者Ａは、この第１操作部４０２に所定の操作を行う。ここで所定の操作とは、第１操作部４０２が押圧スイッチの場合には、押圧スイッチを押圧する操作である。使用者Ａにより押圧スイッチ４０２が押圧された時から所定時間ｔの間、制御部１６０は、タッチパネル１０２中の送信部１５６による座標情報の送信を可能にする。換言すると、第１操作部４０２に所定の操作がされた時から所定時間ｔ経過した後は、制御部１６０は、送信部１５６による座標情報の送信を行わせない。
【００３８】
ここで、「送信部１５６による座標情報の送信を可能にする」とは、送信部１５６が、タッチパネル１０２にタッチされた座標情報を画像表示装置２００に送信できるということである。逆に、「送信部１５６による座標情報の送信を不可能にする」とは、使用者Ａがタッチパネル１０２をタッチしたとしても、送信部１５６は、タッチパネル１０２にタッチされた座標情報を画像表示装置２００に送信しないということである。
【００３９】
また、使用者Ａにより押圧スイッチ４０２が押圧されている間、制御部１６０は、タッチパネル１０２中の送信部１５６による座標情報の送信を可能にしてもよい。換言すると、使用者Ａにより押圧スイッチ４０２が押圧されていないと、制御部１６０は、送信部１５６による座標情報の送信を行わせない。以下では、「送信部１５６による座標情報の送信を行わせる」ことをタッチパネル１０２の機能を有効にするといい、「送信部１５６による座標情報の送信を行わせない」ことをタッチパネル１０２の機能を無効にするという。
【００４０】
その他、タッチパネル１０２の機能を無効にするとは、制御部１６０が、電圧印加部１５２の電圧印加処理を中止させるようにしてもよい。また、制御部１６０が、検出部１５４に座標検出処理を行わせなくしても良い。また、他の手法を用いても良い。これらの構成であっても、結局は、送信部１５６は座標情報を送信しないという構成（送信部１５６による座標情報の送信を不可能にする）と同義である。
【００４１】
また、上記では、第１操作部４０２を押圧スイッチとして説明したが、第１操作部４０２は他の手段でもよく、例えば、回転式スイッチなどでもよい。
【００４２】
このように、実施例２の遠隔制御システムであると、使用者Ａが誤ってタッチパネル１０２をタッチする場合や、外部の要因によりタッチパネル１０２がタッチされる場合であっても、誤った機能を画像表示装置２００に実行させることはない。
【実施例３】
【００４３】
図９に本実施例３の遠隔制御システムのリモコン５００の斜視図を示す。リモコン５００は、括弧書きで示す第２操作部４０４を有する。第２操作部４０４には、画像表示装置２００に操作用画面３２０を表示させる操作がされる。この例では、第２操作部４０４は押圧スイッチである。
【００４４】
使用者Ａは、この第２操作部４０４に所定の操作を行う。ここで所定の操作とは、第２操作部４０４が押圧スイッチの場合には、押圧スイッチを押圧する操作である。使用者Ａにより第２操作部４０４に所定の操作がされると、制御部１６０は、操作用画面表示信号を生成し、送信部１５６（図６参照）は、この生成された操作用画面表示信号を画像表示装置２００に送信する。実行部２５４は、受信部２５２により操作用画面表示信号を受信すると、表示部２５８の第２表示領域２０２に操作用画面３２０を表示させる。
【００４５】
また、第２操作部４０４への所定の操作（第２操作部４０４が押圧スイッチの場合には、押圧スイッチを押圧する操作）により、表示されている操作用画面３２０を消去できる。例えば、操作用画面３２０が第２表示領域２０２に表示されている状態で、第２操作部４０４に所定の操作がされると、操作用画面３２０を消去できるようにすればよい。
【００４６】
このように、リモコン１００が第２操作部４０４を有することで、使用者Ａは操作を所望する場合に、画像表示装置２００に操作用画面を表示させることができ、または、表示されている操作用画面を消去させることができる。従って、使用者Ａは、操作用画面３２０により阻害されることなくＴＶ画像などの画像を視聴できる。
【００４７】
また、第１操作部４０２（実施例２で説明）と第２操作部４０４を一体化させることが好ましい場合がある。以下では、一体化された第１操作部４０２と第２操作部４０４をまとめて第１操作部４０２’という。この場合、第１操作部４０２’に所定の操作がされると、タッチパネル１０２の機能を有効にするようにし、かつ、画像表示装置２００に操作用画面３２０を表示させるようにすればよい。
【００４８】
このように遠隔制御システムを構成すれば、使用者Ａが例えば、画像表示装置２００のＴＶ画像を視聴している途中に、何らかの機能（例えば、音量を上げる）の実行を所望した場合に、第１操作部４０２を操作する。そうすると、画像表示装置２００に操作用画面が表示され、タッチパネル１０２の機能が有効になることから、リモコン５００により所望の機能を実行できる。つまり、使用者Ａは、操作用画面と重畳されていないＴＶ画像を見ることができ、かつ、使用者Ａや外部要因による誤動作で誤った機能を画像表示装置２００に実行させることはない。そして、使用者Ａは、所望の機能を画像表示装置２００に実行させることができる。
【実施例４】
【００４９】
図１０に実施例４の遠隔制御システムのリモコン６００の斜視図を示す。リモコン６００は、第３操作部６０１を有する。第３操作部６０１は、該第３操作部６０１にされる操作に基づいて、操作用画面を拡大または縮小させる。
【００５０】
図１０の例では、第３操作部６０１は一対の押圧スイッチである。一対の押圧スイッチを第１押圧スイッチ６０２、第２押圧スイッチ６０４とする。第３操作部６０１にされる操作とは、第１押圧スイッチ６０２、第２押圧スイッチ６０４を押圧する操作である。第１押圧スイッチ６０２が押圧されると、制御部１６０は、操作用画面３２０を拡大するための拡大信号を生成して、送信部１５６が生成された拡大信号を画像表示装置２００に送信する。画像表示装置２００の受信部２５２が拡大信号を受信すると、実行部２５４は、操作用画面３２０を拡大させて、表示部２５８の第２表示領域２０２に表示させる。
【００５１】
一方、第２押圧スイッチ６０４が押圧されると、制御部１６０は、操作用画面３２０を縮小するための縮小信号を生成して、送信部１５６が生成された縮小信号を画像表示装置２００に送信する。画像表示装置２００の受信部２５２が縮小信号を受信すると、実行部２５４は、操作用画面３２０を縮小させて、表示部２５８の第２表示領域２０２に表示させる。
【００５２】
また、操作用画面３２０の拡大または縮小の度合いについては、例えば、使用者Ａにより、第１押圧スイッチ６０２または第２押圧スイッチ６０４が押下された回数や押下された継続時間などに基づいて定めればよい。
【００５３】
また、第３操作部６０１は一対の押圧スイッチではなく、回転型スイッチ（ツマミ）などでもよい。この場合は、使用者Ａは、回転型スイッチを時計方向に回転させると、制御部１６０は、拡大信号を生成して、送信部１５６がこの生成された拡大信号を画像表示装置２００に送信する。また、使用者Ａは、回転型スイッチを反時計方向に回転させると、制御部１６０は、縮小信号を生成して、送信部１５６がこの生成された縮小信号を画像表示装置２００に送信する。この場合の操作用画面３２０の拡大または縮小の度合いについては、回転型スイッチの回転角度などに基づけばよい。
【００５４】
この実施例４の遠隔制御システムのリモコン６００は、第３操作部６０１を有することから、使用者の遠隔操作により、表示部２５８の第２表示領域２０２に表示された操作用画面３２０を拡大または縮小させることができる。従って、タッチパネル１０２の枠内に納まらない場合や、逆に、タッチパネル１０２に表示された操作用画面３２０’が小さい場合であっても、使用者Ａは、リモコン１０２の位置や、使用者Ａの存在位置を調整する必要はなくなる。
【実施例５】
【００５５】
図１１に実施例５のリモコン７００および画像表示装置７２０を正面から見た簡略図を示す。図１１に示すように、操作用画面３２０は、操作キー３１０ごとに破線で示す罫線７２２（以下、「第１罫線」という。）が表示されている。図１１では、罫線７２２を明確にするために、破線で示しているが、実際は実線でも破線でもよい。また、使用者Ａが操作キー３１０が見え難くならないように、罫線７２２は薄い色にすればよい。
【００５６】
一方、タッチパネル１０２には、第１罫線７２２のｘ座標、ｙ座標ともに対応する第２罫線７０２が表示されている。このように、第１罫線７２２、第２罫線７０２を形成し、使用者Ａは、第１罫線７２２と第２罫線７０２とを重畳させることで、タッチパネル１０２の第１表示領域１０４に操作用画面３２０を容易に合わせこむことができ、操作性が向上する。
【００５７】
また、第１罫線７２２、第２罫線７０２を形成しておけば、使用者Ａは、タッチパネル１０２の第１表示領域１０４に操作用画面３２０を合わせこむ必要はなくなる。例えば、使用者Ａが、操作用画面３２０の操作キーαの機能「音量を大にする」を所望した場合には、操作キーαの位置を視認する。図１１の例であると、操作キーαは、最も左列の上から２行目の操作キーに相当する。使用者Ａは、操作用画面３２０と同様の位置である、第１表示領域１０４の最も左列の上から２行目の領域α’をタッチすればよい。そうすると、送信部１５６は、領域α’に対応する座標情報は、画像表示装置２００に送信され、画像表示装置２００の実行部２５４に、操作キーαの機能を実行させることができる。
【００５８】
また、図１１の例では、第１罫線７２２、第２罫線７０２は共に、１つの操作キーを囲むように、表示されるが、第１罫線７２２、第２罫線７０２は共に、縦線のみ、または横線のみであってもよい。また、第１罫線７２２、第２罫線７０２は共に、複数の操作キーを囲むような罫線であっても良い。
【００５９】
また、リモコン７００に図示しない罫線表示操作部を設け、使用者Ａが、この罫線表示操作部に所定の操作することで、第１罫線７２２、第２罫線７０２を表示させるようにしても良い。罫線表示操作部とは、例えば、押下ボタンであり、所定の操作とは、この押下ボタンを押下することである。
【００６０】
この実施例５の構成であれば、使用者Ａは第１罫線７２２、第２罫線７０２を合わせることで、容易にかつ正確に表示部２５８の第２表示領域２０２に表示された操作用画面３２０をタッチパネル１０２に合わせこむことができる。また、使用者Ａは、タッチパネル１０２に操作用画面３２０を合わせこまなくても、所望の機能を実行部２５４に実行させることができ、リモコンの操作性は格段に向上する。  
【実施例６】
【００６１】
実施例６の画像表示装置８２０では、表示部２５８の第２表示領域２０２に複数の操作用画面を表示させ、使用者Ａにリモコンで、複数の操作用画面の中から所望する操作用画面を選択させる。図１２に画像表示装置２００に複数（図１２の例では４つ）の操作用画面３０２１〜３０２４が表示された例を示す。また、図１３に実施例６のリモコン８００の斜視図を示す。図１２の例では、１２個の操作キーからなる操作用画面が４個あることから、４８個の操作キーを表示している。つまり、実施例６の遠隔制御システムであれば、操作性を低下させずに、容易に操作キーを増加させることができる。
【００６２】
次に、操作用画面３０２１〜３０２４を選択させる手法を２つ説明する。まず第１の選択手法として、リモコン８００に第４操作手段８０２を設ける。第４操作部８０２は、画像表示装置２００に表示された複数の操作用画面の中から１つの操作用画面を選択させるためのものである。図１３の例では、第４操作部８０２とは例えば、４つの押下スイッチである第１押圧スイッチ８０２１、第２押圧スイッチ８０２２、第３押圧スイッチ８０２３、第４押圧スイッチ８０２４、である。この４つの押圧スイッチ８０２１〜８０２４はそれぞれ操作用画面３０２１〜３０２４に対応している。
【００６３】
使用者Ａは、所望する操作用画面に対応する押圧スイッチを押圧する。例えば、使用者Ａが、第２操作用画面３０２２を所望すれば、使用者Ａは、第２操作用画面３０２２に対応する第２押圧スイッチ８０２２を押圧する。そうすると、制御部１６０が、第２操作用画面選択信号を生成する。該生成された第２操作用画面選択信号は送信部１５６により、画像表示装置２００に送信される。画像表示装置２００が、第２操作用画面選択信号を受信すると、表示部２５８の第２表示領域２０２に第２操作用画面３０２２が表示される。そして、使用者Ａは、選択された第２操作用画面３０２２に対して、上述した操作を行えばよい。
【００６４】
また、第４操作手段８０２の別の手段として、ツマミを用いればよい。使用者Ａは、ツマミを回転させることで、第１操作用画面３０２１〜第４操作用画面３０２４のうち所望の１つを選択すればよい。
【００６５】
また、第２の選択手法として、使用者Ａが、タッチパネル１０２に複数の操作用画面３０２１〜３０２４を合わせこみ、タッチパネル１０２中の、所望の操作用画面が表示されている領域をタッチすることで、操作用画面を選択しても良い。このようにすれば、リモコン１００に第４操作部を設ける必要はない。
この実施例６の遠隔制御システムであれば、リモコンの操作性を低下させずに操作キー３１０の数を増加させることができる。
【００６６】
また、リモコン１００のタッチパネル１０２において、外部に露出している箇所を高分子樹脂で形成することが好ましい。何故なら、使用者Ａの不注意などにより、リモコン１００は、落下し、タッチパネル１０２が破損する場合があるからである。
【符号の説明】
【００６７】
１００・・リモートコントローラ
１０２・・・タッチパネル
１０４・・・第１表示領域
２００・・・画像表示装置
２０２・・・第２表示領域
３１０・・・操作キー
３２０・・・操作用画面
【図１】
0005451246.tif 000002
【図２】
0005451246.tif 000003
【図３】
0005451246.tif 000004
【図４】
0005451246.tif 000005
【図５】
0005451246.tif 000006
【図６】
0005451246.tif 000007
【図７】
0005451246.tif 000008
【図８】
0005451246.tif 000009
【図９】
0005451246.tif 000010
【図１０】
0005451246.tif 000011
【図１１】
0005451246.tif 000012
【図１２】
0005451246.tif 000013
【図１３】
0005451246.tif 000014